(57)【要約】【課題】指向角度を変更することができるスピーカ装置を提供すること。【解決手段】スピーカ装置１００は、媒質に振動を与えるドライバユニット１１０と、ドライバユニット１１０に対して固定された取付部１２１、及び、ドライバユニット１１０によって媒質に与えられた振動を導出する側面板１２４及び側面板１２５を有したホーン部１２０と、側面板１２４及び側面板１２５が取付部１２１に対して回動するように側面板１２４及び側面板１２５を駆動する図示していない第１のモータ及び第２のモータとを備え、側面板１２４及び側面板１２５は、取付部１２１に回動可能に支持されるようにする。【選択図】　　　図１
2004064507.tif 000002
【特許請求の範囲】
【請求項１】
媒質に振動を与えるドライバユニットと、前記ドライバユニットに対して固定された固定部、及び、前記振動を導出し、前記固定部に回動可能に支持された導出部を有したホーン部と、前記固定部に対して前記導出部が回動するように前記導出部を駆動する駆動部とを備えたことを特徴とするスピーカ装置。
【請求項２】
媒質に振動を与えるドライバユニットと、前記ドライバユニットに対して固定された固定部、及び、前記振動を導出し、前記固定部に回動可能に支持された一対の導出部を有したホーン部と、前記固定部に対して前記導出部が回動するように前記導出部を駆動する駆動部とを備え、
一対の前記導出部は、互いに対向する位置に設けられたことを特徴とするスピーカ装置。
【請求項３】
前記駆動部は、一対の前記導出部を別々に駆動することを特徴とする請求項２に記載のスピーカ装置。
【請求項４】
前記固定部は、前記振動を導出し、
前記固定部のうち前記振動を導出する部分の面は、前記導出部の回動軸に略垂直であることを特徴とする請求項１から請求項３までの何れかに記載のスピーカ装置。
【請求項５】
前記導出部のうち前記振動を導出する部分の少なくとも一部の面は、曲面であることを特徴とする請求項１から請求項４までの何れかに記載のスピーカ装置。
【請求項６】
前記導出部は、互いに回動可能に連結された複数の回動部を有し、
前記駆動部は、前記複数の回動部が互いに回動するように前記導出部を駆動することを特徴とする請求項１から請求項５までの何れかに記載のスピーカ装置。
【請求項７】
請求項１から請求項６までの何れかに記載のスピーカ装置を、前記導出部の回動軸の延在方向と略同一方向に複数並べて備えたことを特徴とするスピーカシステム。
【発明の詳細な説明】
【０００１】
【発明の属する技術分野】
本発明は、ドライバユニットによって媒質に与えられた振動を導出するホーン部を備えたスピーカ装置と、このスピーカ装置を複数備えたスピーカシステムとに関するものである。
【０００２】
【従来の技術】
従来、図１９及び図２０に示すようなスピーカ装置９００が知られている。
【０００３】
スピーカ装置９００は、媒質に振動を与えるドライバユニット９１０と、スロート９２０ａ及びマウス９２０ｂが形成されたホーン部９２０とを備えている。
【０００４】
ホーン部９２０は、ドライバユニット９１０に取り付けられて固定された取付部９２１と、取付部９２１に取り付けられて固定された側面板９２２、側面板９２３、側面板９２４及び側面板９２５とを有している。
【０００５】
ここで、ホーン部９２０は、ドライバユニット９１０によって媒質に与えられた振動をスロート９２０ａから内部に導入し、側面板９２２、側面板９２３、側面板９２４及び側面板９２５で拡散してマウス９２０ｂから外部に導出するようになっている。
【０００６】
また、互いに対向する位置に配置された側面板９２２及び側面板９２３のうち、ドライバユニット９１０によって媒質に与えられた振動を導出する部分の面９２２ａ及び面９２３ａは、互いに略平行になっており、スピーカ装置９００は、側面板９２２の面９２２ａ及び側面板９２３の面９２３ａに略垂直な矢印９００ａで示す方向での指向角度が略０度になっている。
【０００７】
また、スピーカ装置９００は、ドライバユニット９１０によって媒質に与えられた振動の放射方向のうちの矢印９００ｂで示す中心方向と、矢印９００ａで示す方向とに略直交する矢印９００ｃで示す方向での指向角度が０度より大きく１８０度未満になっている。
【０００８】
そして、スピーカ装置９００は、矢印９００ａで示す方向に複数並べられることによって、単独のときと比較して矢印９００ａで示す方向でのカバーエリアを広くすることができるラインアレースピーカシステム９５０（図２１参照）を構成することができる。
【０００９】
【発明が解決しようとする課題】
しかしながら、上記従来のスピーカ装置９００においては、矢印９００ｃで示す方向での指向角度を変更することができないという問題があった。
【００１０】
なお、スピーカ装置９００は、矢印９００ｃで示す方向での指向角度が０度より大きく１８０度未満になっているので、矢印９００ｃで示す方向に複数並べられると、複数のスピーカ装置９００からの音が互いに干渉してしまう。したがって、スピーカ装置９００は、単独のときと比較して矢印９００ｃで示す方向でのカバーエリアを広くする目的で、矢印９００ｃで示す方向に複数並べられることに適さなかった。
【００１１】
そこで、本発明は、指向角度を変更することができるスピーカ装置を提供することを目的とする。
【００１２】
【課題を解決するための手段】
上記課題を解決するために、本発明のスピーカ装置は、媒質に振動を与えるドライバユニットと、前記ドライバユニットに対して固定された固定部、及び、前記振動を導出し、前記固定部に回動可能に支持された導出部を有したホーン部と、前記固定部に対して前記導出部が回動するように前記導出部を駆動する駆動部とを備えた構成を有している。
【００１３】
この構成により、本発明のスピーカ装置は、ドライバユニットによって媒質に与えられた振動を導出部で導出するので、導出部が固定部に対して回動するように駆動部で導出部を駆動することによって、カバーエリアや音圧などの使用条件に応じて、ドライバユニットによって媒質に与えられた振動の放射方向のうちの中心方向と、導出部の回動軸の延在方向とに略直交する方向での指向角度を変更することができる。
【００１４】
また、本発明のスピーカ装置は、媒質に振動を与えるドライバユニットと、前記ドライバユニットに対して固定された固定部、及び、前記振動を導出し、前記固定部に回動可能に支持された一対の導出部を有したホーン部と、前記固定部に対して前記導出部が回動するように前記導出部を駆動する駆動部とを備え、一対の前記導出部は、互いに対向する位置に設けられた構成を有している。
【００１５】
この構成により、本発明のスピーカ装置は、ドライバユニットによって媒質に与えられた振動を導出部で導出するので、導出部が固定部に対して回動するように駆動部で導出部を駆動することによって、カバーエリアや音圧などの使用条件に応じて、ドライバユニットによって媒質に与えられた振動の放射方向のうちの中心方向と、導出部の回動軸の延在方向とに略直交する方向での指向角度を変更することができる。また、本発明のスピーカ装置は、互いに対向する位置に固定部に対して回動可能に設けられた一対の導出部で、ドライバユニットによって媒質に与えられた振動を導出するので、ドライバユニットによって媒質に与えられた振動の放射方向のうちの中心方向を固定したままで、指向角度を変更することができる。
【００１６】
また、本発明のスピーカ装置は、前記駆動部は、一対の前記導出部を別々に駆動する構成を有している。
【００１７】
この構成により、本発明のスピーカ装置は、スピーカ装置全体の方向を固定したままで、ドライバユニットによって媒質に与えられた振動の放射方向のうちの中心方向を変更することができる。
【００１８】
また、本発明のスピーカ装置は、前記固定部は、前記振動を導出し、前記固定部のうち前記振動を導出する部分の面は、前記導出部の回動軸に略垂直である構成を有している。
【００１９】
この構成により、本発明のスピーカ装置は、導出部の回動軸の延在方向での指向角度が略０度になるので、導出部の回動軸の延在方向と略同一方向に複数並べられても、複数のスピーカ装置からの音が互いに干渉することを防止することができる。したがって、本発明のスピーカ装置は、単独のときと比較して導出部の回動軸の延在方向と略同一方向でのカバーエリアを広くする目的で、導出部の回動軸の延在方向と略同一方向に複数並べられることに、固定部のうち、ドライバユニットによって媒質に与えられた振動を導出する部分の面が導出部の回動軸に略垂直ではない場合と比較して適する。
【００２０】
また、本発明のスピーカ装置は、前記導出部のうち前記振動を導出する部分の少なくとも一部の面は、曲面である構成を有している。
【００２１】
この構成により、本発明のスピーカ装置は、ドライバユニットによって媒質に与えられた振動の放射方向のうちの中心方向と、導出部の回動軸の延在方向とに略直交する方向に限らず、ドライバユニットによって媒質に与えられた振動の放射方向のうちの中心方向に略直交する方向のうち、導出部の回動軸の延在方向以外の方向での指向角度を変更することができる。
【００２２】
また、本発明のスピーカ装置は、前記導出部は、互いに回動可能に連結された複数の回動部を有し、前記駆動部は、前記複数の回動部が互いに回動するように前記導出部を駆動する構成を有している。
【００２３】
この構成により、本発明のスピーカ装置は、導出部が回動部を有していない場合と比較して、導出部のうち、ドライバユニットによって媒質に与えられた振動を導出する部分の面の向きを細かく変更することができるので、固定部に対して導出部が回動するときに放射インピーダンスの乱れを抑えることができる。
【００２４】
また、本発明のスピーカシステムは、スピーカ装置を、前記導出部の回動軸の延在方向と略同一方向に複数並べて備えた構成を有している。
【００２５】
この構成により、本発明のスピーカシステムは、スピーカ装置が単独のときと比較して、導出部の回動軸の延在方向と略同一方向でのカバーエリアを広くすることができる。また、本発明のスピーカシステムは、ドライバユニットによって媒質に与えられた振動を導出部で導出するので、導出部が固定部に対して回動するように駆動部で導出部を駆動することによって、カバーエリアや音圧などの使用条件に応じて、ドライバユニットによって媒質に与えられた振動の放射方向のうちの中心方向と、導出部の回動軸の延在方向とに略直交する方向での指向角度を変更することができる。
【００２６】
【発明の実施の形態】
以下、本発明の実施の形態について、図面を用いて説明する。
（第１の実施の形態）
【００２７】
まず、第１の実施の形態に係るスピーカ装置の構成について説明する。
【００２８】
図１及び図２において、本実施の形態に係るスピーカ装置１００は、媒質に振動を与えるドライバユニット１１０と、スロート１２０ａ及びマウス１２０ｂが形成されたホーン部１２０とを備えている。
【００２９】
ホーン部１２０は、ドライバユニット１１０に取り付けられて固定され、軸１２１ａ及び軸１２１ｂが形成された取付部１２１と、取付部１２１に取り付けられて固定された一対の側面板１２２及び側面板１２３と、取付部１２１の軸１２１ａ及び軸１２１ｂに回動可能に支持された一対の側面板１２４及び側面板１２５とを有している。
【００３０】
なお、ホーン部１２０は、ドライバユニット１１０によって媒質に与えられた振動をスロート１２０ａから内部に導入し、側面板１２４及び側面板１２５で拡散して側面板１２２、側面板１２３、側面板１２４及び側面板１２５でマウス１２０ｂから外部に導出するようになっている。
【００３１】
ここで、取付部１２１、側面板１２２及び側面板１２３は、ドライバユニット１１０に対して固定された固定部を構成している。
【００３２】
また、側面板１２４及び側面板１２５は、ドライバユニット１１０によって媒質に与えられた振動を導出する導出部を構成している。
【００３３】
また、スピーカ装置１００は、側面板１２４が取付部１２１に対して取付部１２１の軸１２１ａを中心に回動するように側面板１２４を駆動する駆動部としての図示していない第１のモータと、側面板１２５が取付部１２１に対して取付部１２１の軸１２１ｂを中心に回動するように側面板１２５を駆動する駆動部としての図示していない第２のモータとを備えている。
【００３４】
また、スピーカ装置１００は、利用者に操作されて図示していない第１のモータ及び第２のモータに電力を供給する図示していない操作部を備えている。
【００３５】
また、互いに対向する位置に配置された側面板１２２及び側面板１２３のうち、ドライバユニット１１０によって媒質に与えられた振動を導出する部分の面１２２ａ及び面１２３ａは、側面板１２４及び側面板１２５の回転軸、即ち、取付部１２１の軸１２１ａ及び軸１２１ｂに略垂直であり、互いに略平行になっており、スピーカ装置１００は、側面板１２４及び側面板１２５の回動軸の延在方向、即ち、側面板１２２の面１２２ａ及び側面板１２３の面１２３ａに略垂直な矢印１００ａで示す方向での指向角度が略０度になっている。
【００３６】
次に、本実施の形態に係るスピーカ装置の動作について説明する。
【００３７】
スピーカ装置１００は、上述したように、ドライバユニット１１０によって媒質に与えられた振動を側面板１２２、側面板１２３、側面板１２４及び側面板１２５でマウス１２０ｂからホーン部１２０の外部に導出する。
【００３８】
また、利用者が操作部を操作すると、スピーカ装置１００は、利用者による操作部への操作に応じて操作部によって第１のモータ及び第２のモータに電力を供給する。
【００３９】
第１のモータ及び第２のモータは、操作部によって供給された電力に応じて回転し、側面板１２４及び側面板１２５が取付部１２１に対して取付部１２１の軸１２１ａ及び軸１２１ｂを中心に回動するように側面板１２４及び側面板１２５を駆動する。
【００４０】
即ち、スピーカ装置１００は、利用者による操作部への操作に応じて、側面板１２４及び側面板１２５を回動する。
【００４１】
したがって、スピーカ装置１００は、図示していない第１のモータ及び第２のモータで一対の側面板１２４及び側面板１２５を逆方向に回動させることによって、矢印１００ａで示す方向と、ドライバユニット１１０によって媒質に与えられた振動の放射方向のうちの矢印１００ｂで示す中心方向とに略直交する矢印１００ｃで示す方向での指向角度を、例えば図１及び図２に示すように略４０度から図３及び図４に示すように略１２０度まで変更することができる。
【００４２】
また、スピーカ装置１００は、図示していない第１のモータ及び第２のモータで一対の側面板１２４及び側面板１２５を別々に駆動することによって、スピーカ装置１００全体の方向を固定したままで、図５及び図６や、図７及び図８に示すように、ドライバユニット１１０によって媒質に与えられた振動の放射方向のうちの矢印１００ｂで示す中心方向を変更することができる。
【００４３】
以上に説明したように、スピーカ装置１００は、カバーエリアや音圧などの使用条件に応じて、矢印１００ｃで示す方向での指向角度や、ドライバユニット１１０によって媒質に与えられた振動の放射方向のうちの矢印１００ｂで示す中心方向を変更することができる。
【００４４】
また、スピーカ装置１００は、互いに対向する位置に取付部１２１に回動可能に設けられた一対の側面板１２４及び側面板１２５で、ドライバユニット１１０によって媒質に与えられた振動を導出するので、図１及び図２や、図３及び図４に示すように、ドライバユニット１１０によって媒質に与えられた振動の放射方向のうちの矢印１００ｂで示す中心方向を固定したままで、矢印１００ｃで示す方向での指向角度を変更することができるが、本発明によれば、スピーカ装置１００は、側面板１２４及び側面板１２５の一方だけが取付部１２１に回動可能に支持されていて、他方が取付部１２１に固定されていても良い。
【００４５】
また、スピーカ装置１００は、矢印１００ａで示す方向での指向角度が略０度であるので、スピーカ装置１００は、矢印１００ａで示す方向と略同一方向に複数並べられてスピーカシステムとして図９及び図１０に示すようなラインアレースピーカシステム１５０を構成しても、複数のスピーカ装置からの音が互いに干渉することを防止することができる。したがって、スピーカ装置１００は、単独のときと比較して矢印１００ａで示す方向と略同一方向でのカバーエリアを広くする目的で、矢印１００ａで示す方向と略同一方向に複数並べられることに、側面板１２２及び側面板１２３のうち、ドライバユニット１１０によって媒質に与えられた振動を導出する部分の面１２２ａ及び面１２３ａが側面板１２４及び側面板１２５の回動軸に略垂直ではない場合と比較して適している。
【００４６】
なお、ラインアレースピーカシステム１５０は、スピーカ装置１００が単独のときと比較して、矢印１００ａで示す方向と略同一方向でのカバーエリアを広くすることができる。また、ラインアレースピーカシステム１５０は、スピーカ装置１００について上述したように、カバーエリアや音圧などの使用条件に応じて、図９及び図１０に示すように矢印１００ｃで示す方向での指向角度を変更したり、特に図示していないがドライバユニット１１０によって媒質に与えられた振動の放射方向のうちの矢印１００ｂで示す中心方向を変更したりすることができる。
（第２の実施の形態）
【００４７】
まず、第２の実施の形態に係るスピーカ装置の構成について説明する。
【００４８】
図１１及び図１２において、本実施の形態に係るスピーカ装置２００は、媒質に振動を与えるドライバユニット２１０と、スロート２２０ａ及びマウス２２０ｂが形成されたホーン部２２０とを備えている。
【００４９】
ホーン部２２０は、ドライバユニット２１０に取り付けられて固定され、軸２２１ａ及び軸２２１ｂが形成された取付部２２１と、取付部２２１に取り付けられて固定された一対の側面板２２２及び側面板２２３と、取付部２２１の軸２２１ａ及び軸２２１ｂに回動可能に支持された一対の側面板２２４及び側面板２２５とを有している。
【００５０】
なお、ホーン部２２０は、ドライバユニット２１０によって媒質に与えられた振動をスロート２２０ａから内部に導入し、側面板２２４及び側面板２２５で拡散して側面板２２２、側面板２２３、側面板２２４及び側面板２２５でマウス２２０ｂから外部に導出するようになっている。
【００５１】
ここで、取付部２２１、側面板２２２及び側面板２２３は、ドライバユニット２１０に対して固定された固定部を構成している。
【００５２】
また、側面板２２４及び側面板２２５は、ドライバユニット２１０によって媒質に与えられた振動を導出する導出部を構成している。
【００５３】
また、スピーカ装置２００は、側面板２２４が取付部２２１に対して取付部２２１の軸２２１ａを中心に回動するように側面板２２４を駆動する駆動部としての図示していない第１のモータと、側面板２２５が取付部２２１に対して取付部２２１の軸２２１ｂを中心に回動するように側面板２２５を駆動する駆動部としての図示していない第２のモータとを備えている。
【００５４】
また、スピーカ装置２００は、利用者に操作されて図示していない第１のモータ及び第２のモータに電力を供給する図示していない操作部を備えている。
【００５５】
また、互いに対向する位置に配置された側面板２２２及び側面板２２３のうち、ドライバユニット２１０によって媒質に与えられた振動を導出する部分の面２２２ａ及び面２２３ａは、側面板２２４及び側面板２２５の回転軸、即ち、取付部２２１の軸２２１ａ及び軸２２１ｂに略垂直であり、互いに略平行になっており、スピーカ装置２００は、側面板２２４及び側面板２２５の回動軸の延在方向、即ち、側面板２２２の面２２２ａ及び側面板２２３の面２２３ａに略垂直な矢印２００ａで示す方向での指向角度が略０度になっている。
【００５６】
また、側面板２２４のうち、ドライバユニット２１０によって媒質に与えられた振動を導出する部分の側面板２２２及び側面板２２３側の一部の面２２４ａ及び面２２４ｂは曲面であり、側面板２２４に対向する位置に配置された側面板２２５のうち、ドライバユニット２１０によって媒質に与えられた振動を導出する部分の側面板２２２及び側面板２２３側の一部の面２２５ａ及び面２２５ｂは曲面である。
【００５７】
次に、本実施の形態に係るスピーカ装置の動作について説明する。
【００５８】
スピーカ装置２００は、上述したように、ドライバユニット２１０によって媒質に与えられた振動を側面板２２２、側面板２２３、側面板２２４及び側面板２２５でマウス２２０ｂからホーン部２２０の外部に導出する。
【００５９】
また、利用者が操作部を操作すると、スピーカ装置２００は、利用者による操作部への操作に応じて操作部によって第１のモータ及び第２のモータに電力を供給する。
【００６０】
第１のモータ及び第２のモータは、操作部によって供給された電力に応じて回転し、側面板２２４及び側面板２２５が取付部２２１に対して取付部２２１の軸２２１ａ及び軸２２１ｂを中心に回動するように側面板２２４及び側面板２２５を駆動する。
【００６１】
即ち、スピーカ装置２００は、利用者による操作部への操作に応じて、側面板２２４及び側面板２２５を回動する。
【００６２】
したがって、スピーカ装置２００は、図示していない第１のモータ及び第２のモータで一対の側面板２２４及び側面板２２５を逆方向に回動させることによって、矢印２００ａで示す方向と、ドライバユニット２１０によって媒質に与えられた振動の放射方向のうちの矢印２００ｂで示す中心方向とに略直交する矢印２００ｃで示す方向での指向角度を、例えば図１１及び図１２に示すように略４０度から図１３及び図１４に示すように略１２０度まで変更することができる。
【００６３】
また、スピーカ装置２００は、側面板２２４の面２２４ａ及び面２２４ｂと、側面板２２５の面２２５ａ及び面２２５ｂとが曲面であるので、矢印２００ｃで示す方向に限らず、ドライバユニット２１０によって媒質に与えられた振動の放射方向のうちの矢印２００ｂで示す中心方向に略直交する方向のうち、矢印２００ａで示す方向以外の方向、例えば、矢印２００ｄで示す方向や矢印２００ｅで示す方向などでの指向角度を変更することができる。
【００６４】
また、スピーカ装置２００は、図示していない第１のモータ及び第２のモータで一対の側面板２２４及び側面板２２５を別々に駆動することによって、スピーカ装置２００全体の方向を固定したままで、第１の実施の形態において説明したように、ドライバユニット２１０によって媒質に与えられた振動の放射方向のうちの矢印２００ｂで示す中心方向を変更することができる。
【００６５】
以上に説明したように、スピーカ装置２００は、カバーエリアや音圧などの使用条件に応じて、矢印２００ｃで示す方向での指向角度や、ドライバユニット２１０によって媒質に与えられた振動の放射方向のうちの矢印２００ｂで示す中心方向を変更することができる。
【００６６】
また、スピーカ装置２００は、互いに対向する位置に取付部２２１に回動可能に設けられた一対の側面板２２４及び側面板２２５で、ドライバユニット２１０によって媒質に与えられた振動を導出するので、図１１及び図１２や、図１３及び図１４に示すように、ドライバユニット２１０によって媒質に与えられた振動の放射方向のうちの矢印２００ｂで示す中心方向を固定したままで、矢印２００ｃで示す方向での指向角度を変更することができるが、本発明によれば、スピーカ装置２００は、側面板２２４及び側面板２２５の一方だけが取付部２２１に回動可能に支持されていて、他方が取付部２２１に固定されていても良い。
【００６７】
また、スピーカ装置２００は、矢印２００ａで示す方向での指向角度が略０度であるので、スピーカ装置２００は、矢印２００ａで示す方向と略同一方向に複数並べられて第１の実施の形態において説明したようにラインアレースピーカシステムを構成しても、複数のスピーカ装置からの音が互いに干渉することを防止することができる。したがって、スピーカ装置２００は、単独のときと比較して矢印２００ａで示す方向と略同一方向でのカバーエリアを広くする目的で、矢印２００ａで示す方向と略同一方向に複数並べられることに、側面板２２２及び側面板２２３のうち、ドライバユニット２１０によって媒質に与えられた振動を導出する部分の面２２２ａ及び面２２３ａが側面板２２４及び側面板２２５の回動軸に略垂直ではない場合と比較して適している。
（第３の実施の形態）
【００６８】
まず、第３の実施の形態に係るスピーカ装置の構成について説明する。
【００６９】
図１５及び図１６において、本実施の形態に係るスピーカ装置３００は、媒質に振動を与えるドライバユニット３１０と、スロート３２０ａ及びマウス３２０ｂが形成されたホーン部３２０とを備えている。
【００７０】
ホーン部３２０は、ドライバユニット３１０に取り付けられて固定され、軸３２１ａ及び軸３２１ｂが形成された取付部３２１と、取付部３２１に取り付けられて固定された一対の側面板３２２及び側面板３２３と、取付部３２１の軸３２１ａ及び軸３２１ｂに回動可能に支持された一対の側面板３２４及び側面板３２５とを有している。
【００７１】
また、側面板３２４は、一端に軸３２６ａが形成され他端で取付部３２１の軸３２１ａに回動可能に支持された第１側面板３２６と、第１側面板３２６の軸３２６ａに回動可能に支持された第２側面板３２７とを有している。
【００７２】
また、側面板３２５は、一端に軸３２８ａが形成され他端で取付部３２１の軸３２１ｂに回動可能に支持された第１側面板３２８と、第１側面板３２８の軸３２８ａに回動可能に支持された第２側面板３２９とを有している。
【００７３】
なお、ホーン部３２０は、ドライバユニット３１０によって媒質に与えられた振動をスロート３２０ａから内部に導入し、第１側面板３２６、第１側面板３２８、第２側面板３２７及び第２側面板３２９で拡散して側面板３２２、側面板３２３、第１側面板３２６、第１側面板３２８、第２側面板３２７及び第２側面板３２９でマウス３２０ｂから外部に導出するようになっている。
【００７４】
ここで、取付部３２１、側面板３２２及び側面板３２３は、ドライバユニット３１０に対して固定された固定部を構成している。
【００７５】
また、側面板３２４及び側面板３２５は、ドライバユニット３１０によって媒質に与えられた振動を導出する導出部を構成している。
【００７６】
また、第１側面板３２６及び第２側面板３２７は、互いに回動可能に連結された回動部を構成しており、第１側面板３２８及び第２側面板３２９は、互いに回動可能に連結された回動部を構成している。
【００７７】
また、スピーカ装置３００は、第１側面板３２６が取付部３２１に対して取付部３２１の軸３２１ａを中心に回動するように第１側面板３２６を駆動する駆動部としての図示していない第１のモータと、第１側面板３２８が取付部３２１に対して取付部３２１の軸３２１ｂを中心に回動するように第１側面板３２８を駆動する駆動部としての図示していない第２のモータとを備えている。
【００７８】
また、スピーカ装置３００は、第２側面板３２７が第１側面板３２６に対して第１側面板３２６の軸３２６ａを中心に回動するように第２側面板３２７を駆動する駆動部としての図示していない第３のモータと、第２側面板３２９が第１側面板３２８に対して第１側面板３２８の軸３２８ａを中心に回動するように第２側面板３２９を駆動する駆動部としての図示していない第４のモータとを備えている。
【００７９】
また、スピーカ装置３００は、利用者に操作されて図示していない第１のモータ、第２のモータ、第３のモータ及び第４のモータに電力を供給する図示していない操作部を備えている。
【００８０】
また、互いに対向する位置に配置された側面板３２２及び側面板３２３のうち、ドライバユニット３１０によって媒質に与えられた振動を導出する部分の面３２２ａ及び面３２３ａは、第１側面板３２６及び第１側面板３２８の回転軸、即ち、取付部３２１の軸３２１ａ及び軸３２１ｂに略垂直であり、互いに略平行になっており、スピーカ装置３００は、第１側面板３２６及び第１側面板３２８の回動軸の延在方向、即ち、側面板３２２の面３２２ａ及び側面板３２３の面３２３ａに略垂直な矢印３００ａで示す方向での指向角度が略０度になっている。
【００８１】
次に、本実施の形態に係るスピーカ装置の動作について説明する。
【００８２】
スピーカ装置３００は、上述したように、ドライバユニット３１０によって媒質に与えられた振動を側面板３２２、側面板３２３、第１側面板３２６、第１側面板３２８、第２側面板３２７及び第２側面板３２９でマウス３２０ｂからホーン部３２０の外部に導出する。
【００８３】
また、利用者が操作部を操作すると、スピーカ装置３００は、利用者による操作部への操作に応じて操作部によって第１のモータ、第２のモータ、第３のモータ及び第４のモータに電力を供給する。
【００８４】
第１のモータ及び第２のモータは、操作部によって供給された電力に応じて回転し、第１側面板３２６及び第１側面板３２８が取付部３２１に対して取付部３２１の軸３２１ａ及び軸３２１ｂを中心に回動するように第１側面板３２６及び第１側面板３２８を駆動する。
【００８５】
また、第３のモータ及び第４のモータは、操作部によって供給された電力に応じて回転し、第２側面板３２７及び第２側面板３２９が第１側面板３２６及び第１側面板３２８に対して第１側面板３２６の軸３２６ａ及び第１側面板３２８の軸３２８ａを中心に回動するように第２側面板３２７及び第２側面板３２９を駆動する。
【００８６】
即ち、スピーカ装置３００は、利用者による操作部への操作に応じて、第１側面板３２６、第１側面板３２８、第２側面板３２７及び第２側面板３２９を回動する。
【００８７】
したがって、スピーカ装置３００は、図示していない第１のモータ、第２のモータ、第３のモータ及び第４のモータで、一対の側面板３２４及び側面板３２５を逆方向に回動させることによって、矢印３００ａで示す方向と、ドライバユニット３１０によって媒質に与えられた振動の放射方向のうちの矢印３００ｂで示す中心方向とに略直交する矢印３００ｃで示す方向での指向角度を、例えば図１５及び図１６に示すように略４０度から図１７及び図１８に示すように略１２０度まで変更することができる。
【００８８】
また、スピーカ装置３００は、第２側面板３２７及び第２側面板３２９を有していない第１の実施の形態に係るスピーカ装置１００（図１及び図２参照）のような場合と比較して、側面板３２４及び側面板３２５のうち、ドライバユニット３１０によって媒質に与えられた振動を導出する部分の面、即ち、第１側面板３２６の面３２６ｂ、第２側面板３２７の面３２７ａ、第１側面板３２８の面３２８ｂ及び第２側面板３２９の面３２９ａの向きを細かく変更することができるので、取付部１２１に対して側面板３２４及び側面板３２５が回動するときに放射インピーダンスの乱れを抑えることができる。
【００８９】
また、スピーカ装置３００は、図示していない第１のモータ、第２のモータ、第３のモータ及び第４のモータで、一対の第１側面板３２６及び第１側面板３２８と、一対の第２側面板３２７及び第２側面板３２９とを別々に駆動することによって、スピーカ装置３００全体の方向を固定したままで、第１の実施の形態において説明したように、ドライバユニット３１０によって媒質に与えられた振動の放射方向のうちの矢印３００ｂで示す中心方向を変更することができる。
【００９０】
以上に説明したように、スピーカ装置３００は、カバーエリアや音圧などの使用条件に応じて、矢印３００ｃで示す方向での指向角度や、ドライバユニット３１０によって媒質に与えられた振動の放射方向のうちの矢印３００ｂで示す中心方向を変更することができる。
【００９１】
また、スピーカ装置３００は、互いに対向する位置に取付部３２１に回動可能に設けられた一対の第１側面板３２６及び第１側面板３２８で、ドライバユニット３１０によって媒質に与えられた振動を導出するので、図１５及び図１６や、図１７及び図１８に示すように、ドライバユニット３１０によって媒質に与えられた振動の放射方向のうちの矢印３００ｂで示す中心方向を固定したままで、矢印３００ｃで示す方向での指向角度を変更することができるが、本発明によれば、スピーカ装置３００は、第１側面板３２６及び第１側面板３２８の一方だけが取付部３２１に回動可能に支持されていて、他方が取付部３２１に固定されていても良い。
【００９２】
また、スピーカ装置３００は、矢印３００ａで示す方向での指向角度が略０度であるので、スピーカ装置３００は、矢印３００ａで示す方向と略同一方向に複数並べられて第１の実施の形態において説明したようにラインアレースピーカシステムを構成しても、複数のスピーカ装置からの音が互いに干渉することを防止することができる。したがって、スピーカ装置３００は、単独のときと比較して矢印３００ａで示す方向と略同一方向でのカバーエリアを広くする目的で、矢印３００ａで示す方向と略同一方向に複数並べられることに、側面板３２２及び側面板３２３のうち、ドライバユニット３１０によって媒質に与えられた振動を導出する部分の面３２２ａ及び面３２３ａが第１側面板３２６及び第１側面板３２８の回動軸に略垂直ではない場合と比較して適している。
【００９３】
【発明の効果】
以上説明したように、本発明によれば、指向角度を変更することができるスピーカ装置を提供することができる。
【図面の簡単な説明】
【図１】（ａ）本発明の第１の実施の形態に係るスピーカ装置の上面断面図
（ｂ）図１（ａ）に示す状態での図１（ａ）に示すスピーカ装置の正面図
（ｃ）図１（ａ）に示す状態での図１（ａ）に示すスピーカ装置の側面断面図
【図２】図１（ａ）に示す状態での図１（ａ）に示すスピーカ装置の外観斜視図
【図３】（ａ）図１（ａ）に示す状態とは異なる状態での図１（ａ）に示すスピーカ装置の上面断面図
（ｂ）図３（ａ）に示す状態での図１（ａ）に示すスピーカ装置の正面図
（ｃ）図３（ａ）に示す状態での図１（ａ）に示すスピーカ装置の側面断面図
【図４】図３（ａ）に示す状態での図１（ａ）に示すスピーカ装置の外観斜視図
【図５】（ａ）図１（ａ）及び図３（ａ）に示す状態とは異なる状態での図１（ａ）に示すスピーカ装置の上面断面図
（ｂ）図５（ａ）に示す状態での図１（ａ）に示すスピーカ装置の正面図
（ｃ）図５（ａ）に示す状態での図１（ａ）に示すスピーカ装置の側面断面図
【図６】図５（ａ）に示す状態での図１（ａ）に示すスピーカ装置の外観斜視図
【図７】（ａ）図１（ａ）、図３（ａ）及び図５（ａ）に示す状態とは異なる状態での図１（ａ）に示すスピーカ装置の上面断面図
（ｂ）図７（ａ）に示す状態での図１（ａ）に示すスピーカ装置の正面図
（ｃ）図７（ａ）に示す状態での図１（ａ）に示すスピーカ装置の側面断面図
【図８】図７（ａ）に示す状態での図１（ａ）に示すスピーカ装置の外観斜視図
【図９】図１（ａ）に示す状態での図１（ａ）に示すスピーカ装置を複数備えたラインアレースピーカシステムの外観斜視図
【図１０】図３（ａ）に示す状態での図１（ａ）に示すスピーカ装置を複数備えたラインアレースピーカシステムの外観斜視図
【図１１】（ａ）本発明の第２の実施の形態に係るスピーカ装置の上面断面図
（ｂ）図１１（ａ）に示す状態での図１１（ａ）に示すスピーカ装置の正面図
（ｃ）図１１（ａ）に示す状態での図１１（ａ）に示すスピーカ装置の側面断面図
【図１２】図１１（ａ）に示す状態での図１１（ａ）に示すスピーカ装置の外観斜視図
【図１３】（ａ）図１１（ａ）に示す状態とは異なる状態での図１１（ａ）に示すスピーカ装置の上面断面図
（ｂ）図１３（ａ）に示す状態での図１１（ａ）に示すスピーカ装置の正面図
（ｃ）図１３（ａ）に示す状態での図１１（ａ）に示すスピーカ装置の側面断面図
【図１４】図１３（ａ）に示す状態での図１１（ａ）に示すスピーカ装置の外観斜視図
【図１５】（ａ）本発明の第３の実施の形態に係るスピーカ装置の上面断面図
（ｂ）図１５（ａ）に示す状態での図１５（ａ）に示すスピーカ装置の正面図
（ｃ）図１５（ａ）に示す状態での図１５（ａ）に示すスピーカ装置の側面断面図
【図１６】図１５（ａ）に示す状態での図１５（ａ）に示すスピーカ装置の外観斜視図
【図１７】（ａ）図１５（ａ）に示す状態とは異なる状態での図１５（ａ）に示すスピーカ装置の上面断面図
（ｂ）図１７（ａ）に示す状態での図１５（ａ）に示すスピーカ装置の正面図
（ｃ）図１７（ａ）に示す状態での図１５（ａ）に示すスピーカ装置の側面断面図
【図１８】図１７（ａ）に示す状態での図１５（ａ）に示すスピーカ装置の外観斜視図
【図１９】（ａ）従来のスピーカ装置の上面断面図
（ｂ）図１９（ａ）に示すスピーカ装置の正面図
（ｃ）図１９（ａ）に示すスピーカ装置の側面断面図
【図２０】図１９（ａ）に示すスピーカ装置の外観斜視図
【図２１】図１９（ａ）に示すスピーカ装置を複数備えたラインアレースピーカシステムの外観斜視図
【符号の説明】
１００　　　スピーカ装置
１１０　　　ドライバユニット
１２０　　　ホーン部
１２１　　　取付部（固定部）
１２２、１２３　　　側面板（固定部）
１２２ａ、１２３ａ　　　面
１２４、１２５　　　側面板（導出部）
１５０　　　ラインアレースピーカシステム（スピーカシステム）
２００　　　スピーカ装置
２１０　　　ドライバユニット
２２０　　　ホーン部
２２１　　　取付部（固定部）
２２２、２２３　　　側面板（固定部）
２２２ａ、２２３ａ　　　面
２２４、２２５　　　側面板（導出部）
２２４ａ、２２４ｂ、２２５ａ、２２５ｂ　　　面
３００　　　スピーカ装置
３１０　　　ドライバユニット
３２０　　　ホーン部
３２１　　　取付部
３２２、３２３　　　側面板（固定部）
３２２ａ、３２３ａ　　　面
３２４、３２５　　　側面板（導出部）
３２６、３２８　　　第１側面板（回動部）
３２６ｂ、３２８ｂ　　　面
３２７、３２９　　　第２側面板（回動部）
３２７ａ、３２９ａ　　　面
【図１】
2004064507.tif 000003
【図２】
2004064507.tif 000004
【図３】
2004064507.tif 000005
【図４】
2004064507.tif 000006
【図５】
2004064507.tif 000007
【図６】
2004064507.tif 000008
【図７】
2004064507.tif 000009
【図８】
2004064507.tif 000010
【図９】
2004064507.tif 000011
【図１０】
2004064507.tif 000012
【図１１】
2004064507.tif 000013
【図１２】
2004064507.tif 000014
【図１３】
2004064507.tif 000015
【図１４】
2004064507.tif 000016
【図１５】
2004064507.tif 000017
【図１６】
2004064507.tif 000018
【図１７】
2004064507.tif 000019
【図１８】
2004064507.tif 000020
【図１９】
2004064507.tif 000021
【図２０】
2004064507.tif 000022
【図２１】
2004064507.tif 000023